(57)【要約】      （修正有）【課題】容易に高さ調節が可能な密封式便座装置を提供する。【解決手段】排泄物をフィルムに密封するフィルムユニット３０と、フィルムユニット３０を支持し、床面に載置可能な支持体４０と、支持体４０に支持されたフィルムユニット３０の上面を覆い、排泄物がフィルムユニット３０へと通過する開口を有する便座を備える。支持体４０は、支持体４０を床面に立脚させるための棒状の脚４４ａを備え、支持体４０に、側面方向から脚４４ａを嵌め込むための凹状に凹んだ案内溝が設けられ、案内溝に、上下方向に並ぶ複数の窪みが設けられ、脚４４ａの側面には、脚４４ａが案内溝に嵌め込まれる際に窪みの何れに嵌り込む凸部が形成されている。【選択図】図７
2015195884.tif 000002
【特許請求の範囲】
【請求項１】
フィルムにより排泄物を密封するフィルム密封式便座装置において、
排泄物をフィルムに密封するフィルムユニットと、
前記フィルムユニットを支持し、床面に載置可能な支持体と、
前記支持体に支持された前記フィルムユニットの上面を覆い、排泄物が前記フィルムユニットへと通過する開口を有する便座部と、を備え、
前記支持体は、当該支持体を床面に立脚させるための棒状の脚を備え、
前記支持体に、側面方向から前記脚を嵌め込むための凹状に凹んだ溝部が設けられ、
前記溝部に、上下方向に並ぶ複数の窪みが設けられ、
前記脚の側面には、前記脚が前記溝部に嵌め込まれる際に前記窪みの何れに嵌り込む凸部が形成されている、
ことを特徴とするフィルム密封式便座装置。
【請求項２】
請求項１に記載のフィルム密封式便座装置において、
前記凸部は、上下方向に複数設けられている、
ことを特徴とするフィルム密封式便座装置。
【請求項３】
請求項２に記載のフィルム密封式便座装置において、
前記脚が前記溝部に嵌め込まれた状態において、隣り合う２つの前記凸部の間に少なくとも一つの前記窪みが位置付けられるように、前記窪みと前記凸部が配置されている、
ことを特徴とするフィルム密封式便座装置。
【請求項４】
請求項１ないし３の何れか一項に記載のフィルム密封式便座装置において、
前記支持体の各側面部に一対の前記脚が配置され、前記一対の脚は、橋架部材により連結されている、
ことを特徴とするフィルム密封式便座装置。
【請求項５】
請求項４に記載のフィルム密封式便座装置において、
前記凸部が前記窪みに嵌め込まれた状態で前記橋架部材が前記支持体に固着されることにより、前記脚が前記支持体に取り付けられる、
ことを特徴とするフィルム密封式便座装置。
【請求項６】
請求項４または５に記載のフィルム密封式便座装置において、
前記橋架部材は、平板形状を有し、
前記脚は、肉厚部と肉薄部を備え、
前記橋架部材は肉薄部に固着されている、
ことを特徴とするフィルム密封式便座装置。
【請求項７】
請求項６に記載のフィルム密封式便座装置において、
前記橋架部材は、短手方向の端縁が折り曲げられており、
折り曲げられた前記端縁の高さが、前記肉厚部と前記肉薄部との段差よりも小さくなっている、
ことを特徴とするフィルム密封式便座装置。
【請求項８】
請求項１ないし７の何れか一項に記載のフィルム密封式便座装置において、
前記脚の高さ位置を示すためのスケールが、前記支持体の側面に配されている、
ことを特徴とするフィルム密封式便座装置。
【請求項９】
請求項１ないし８の何れか一項に記載のフィルム密封式便座装置において、
前記脚とともに前記支持体の側面を覆う化粧板を備える、
ことを特徴とするフィルム密封式便座装置。
【発明の詳細な説明】
【技術分野】
【０００１】
本発明は、樹脂製のフィルムにより収容物を密封するフィルム密封式便座装置に関する。
【背景技術】
【０００２】
従来、フィルム中に排泄物や汚物等を密封する便座装置が知られている（たとえば、特許文献１）。この種の便座装置では、排泄物や汚物等が通る通路にフィルムが配され、所定の送り機構によって、フィルムが下方に送られる。
【０００３】
排泄の際には、フィルム内に汚物が収容された状態で、フィルムの上部が溶着され、フィルム内に汚物が密封される。このとき、同時に、この溶着位置よりもやや上の位置でフィルムが溶着されて、フィルムに、次の汚物を収容するための底が形成される。また、これら２つの溶着位置の中間部分が切断されて、汚物を密封したフィルムが切り離される。
【先行技術文献】
【特許文献】
【０００４】
【特許文献１】特開２００７−１１７２８４号公報
【発明の概要】
【発明が解決しようとする課題】
【０００５】
上記構成の便座装置が高齢者や体の不自由な使用者によって使用される場合、使用者が乗り移りやすいように、便座装置がベッドに横付けされることが想定され得る。この場合、ベッドの高さと便座装置の座面の高さが略同じであることが望ましい。また、使用者毎に脚の長さが異なるため、それぞれの使用者にとって座り易い高さに座面の高さが調節可能であることが望ましい。
【０００６】
上記課題に鑑み、本発明は、容易に高さ調節が可能な密封式便座装置を提供することを目的とする。
【課題を解決するための手段】
【０００７】
本発明の主たる態様は、フィルムにより排泄物を密封するフィルム密封式便座装置に関する。この態様に係るフィルム密封式便座装置は、排泄物をフィルムに密封するフィルムユニットと、前記フィルムユニットを支持し、床面に載置可能な支持体と、前記支持体に支持された前記フィルムユニットの上面を覆い、排泄物が前記フィルムユニットへと通過する開口を有する便座部と、を備える。前記支持体は、当該支持体を床面に立脚させるための棒状の脚を備える。また、前記支持体に、側面方向から前記脚を嵌め込むための凹状に凹んだ溝部が設けられ、前記溝部に、上下方向に並ぶ複数の窪みが設けられる。さらに、前記脚の側面には、前記脚が前記溝部に嵌め込まれる際に前記窪みの何れに嵌り込む凸部が形成されている。
【０００８】
本態様に係るフィルム密封式便座装置によれば、溝部をガイドとして脚を上下に移動させることができる。また、脚を上下させると、凸部が窪みに対向する位置において、凸部が窪みに嵌り込む。脚の高さ位置を変更する場合は、凸部と窪みの係合を解除して、さらに、脚を上下させる。そして、凸部が窪みに嵌り込む所望の高さ位置において、脚を支持体に固着する。このように、本態様に係るフィルム密封式便座装置によれば、溝部をガイドとして脚を上下させながら、所望の高さ位置に脚を簡易に位置決めすることができる。
【０００９】
本態様に係るフィルム密封式便座装置において、前記凸部は、上下方向に複数設けることが望ましい。こうすると、脚を支持体に固着した際に、凸部に掛る応力を複数の凸部に分散することができる。また、一つの凸部に欠けや削れが生じたような場合にも、他の凸部によって脚の高さ位置を調節することができる。
【００１０】
この構成では、前記脚が前記溝部に嵌め込まれた状態において、隣り合う２つの前記凸部の間に少なくとも一つの前記窪みが位置付けられるように、前記窪みと前記凸部が配置されるよう構成され得る。こうすると、凸部の間隔を広げ易く、且つ、窪みの間隔を縮め易い。このため、安定的に脚の位置決めを行いながら、脚の高さ位置を微細に調節することができる。
【００１１】
本態様に係るフィルム密封式便座装置において、前記支持体の各側面部に一対の前記脚が配置され、前記一対の脚は、橋架部材により連結されるよう構成され得る。こうすると、一対の脚を対応する溝部に同時に嵌め込むことができ、また、一対の脚を上下方向に同時に移動させることができる。よって、脚の高さ調節を効率的に行うことができる。
【００１２】
この場合、フィルム密封式便座装置は、前記凸部が前記窪みに嵌め込まれた状態で前記橋架部材が前記支持体に固着されることにより、前記脚が前記支持体に取り付けられるように構成されることが望ましい。こうすると、凸部や窪みの近辺に、脚を支持体に固着するための手段を設ける必要がない。よって、窪みの間隔を小さくでき、脚の高さ調節を微細に行うことができる。
【００１３】
この構成において、前記橋架部材は、平板形状を有し、前記脚は、肉厚部と肉薄部を備え、前記橋架部材は肉薄部に固着されるよう構成され得る。こうすると、橋架部材が固定されることによる脚の肥大化を抑制することができる。
【００１４】
この場合、前記橋架部材は、短手方向の端縁が折り曲げられ、折り曲げられた前記端縁の高さが、前記肉厚部と前記肉薄部との段差よりも小さくなることが望ましい。このように短手方向の端縁が折り曲げられることにより、橋架部材が長手方向に撓みにくくなり、橋架部材の曲げ強度を高めることができる。また、折り曲げられた前記端縁の高さを、前記肉厚部と前記肉薄部との段差よりも小さくすることにより、折り曲げられた端縁によって脚の輪郭が大きくなることを抑制することができる。
【００１５】
本態様に係るフィルム密封式便座装置では、前記脚の高さ位置を示すためのスケールが、前記支持体の側面に配されることが望ましい。こうすると、高さ位置の調整時に、脚の高さ位置を容易に把握することができる。
【００１６】
本態様に係るフィルム密封式便座装置は、前記脚とともに前記支持体の側面を覆う化粧板を備える構成とされ得る。こうすると、フィルム密封式便座装置の美観を高めることができる。
【発明の効果】
【００１７】
以上のとおり、本発明によれば、容易に高さ調節が可能な密封式便座装置を提供することができる。
【００１８】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１９】
【図１】実施の形態に係る構成体と、フィルム収容ガイドと、枠の構成を示す斜視図である。
【図２】実施の形態に係るフィルムユニットの構成を示す斜視図、フィルムの外観を示す模式図、および、フィルムユニットにセットされたフィルムを示す模式図である。
【図３】実施の形態に係る支持体の構成を示す分解斜視図である。
【図４】実施の形態に係る脚部の構成を示す斜視図である。
【図５】実施の形態に係る脚部の高さ調整を説明する図である。
【図６】実施の形態に係る案内溝周辺の一部拡大図である。
【図７】実施の形態に係るフィルムユニットが設置される支持体の構成を示す斜視図である。
【図８】実施の形態に係る座面枠と、背もたれと、ひじ掛けの構成を示す斜視図である。
【図９】実施の形態に係る構成体と便座の構成を示す斜視図である。
【図１０】実施の形態に係る構成体とカバーの構成を示す斜視図である。
【図１１】実施の形態に係る組み立てが終了した便座装置の構成を示す斜視図である。
【図１２】実施の形態に係るフィルム送り機構とシール機構の構成を示す斜視図である。
【図１３】実施の形態に係る排泄処理時におけるフィルムユニットの動作を説明する図である。
【図１４】実施の形態に係る排泄処理時におけるフィルムユニットの動作を説明する図である。
【図１５】実施の形態に係るベッドに横付けされた状態の便座装置の使用例を示す図である。
【図１６】変更例に係る脚に形成される凸部と案内溝に形成される窪みを示す図である。
【発明を実施するための形態】
【００２０】
以下、本発明の実施の形態につき図面を参照して説明する。
【００２１】
以下に示す実施の形態において、便座装置１は、請求項に記載の「フィルム密封式便座装置」に相当する。脚連結板４４ｂは、請求項に記載の「橋架部材」に相当する。座面枠５１の水平部５１ａと便座５５は、請求項に記載の「便座部」に相当する。ただし、上記請求項と本実施の形態との対応の記載は、あくまで一例であって、請求項に係る発明を本実施の形態に限定するものではない。
【００２２】
まず、図１〜図１１を参照して、本実施の形態に係る便座装置１の構成を組み立て手順に沿って説明する。便座装置１は、主に、介護施設の個室や災害時等、トイレ設備のない場所で用いられ、排泄物を樹脂製の筒状フィルムで密封（シール）することが可能な機構を有する。なお、本実施の形態の説明において参照する図面には、便宜上、互いに直交するＸ、Ｙ、Ｚ軸が示されている。Ｘ−Ｙ平面は、水平面に平行で、Ｚ軸方向は鉛直方向である。
【００２３】
図１は、メカ構成体１０と、フィルム収容ガイド２１と、枠２２の構成を示す斜視図である。
【００２４】
メカ構成体１０は、ベース１１と、機構部１２と、ガイド１３を備えている。ベース１１には、水平面に平行な上面１１ａと、ベース１１を上下方向に貫通する開口１１ｂが設けられている。機構部１２は、ベース１１の下面側に設置されており、ベース１１に設置された回路基板（図示せず）と接続されている。ガイド１３は、上面が水平面に対して傾いた状態となるよう、ベース１１の下面側に設置されている。なお、機構部１２は、フィルム送り機構１００とシール機構２００を備えている。フィルム送り機構１００とシール機構２００の構成については、追って、図１２を参照して説明する。
【００２５】
フィルム収容ガイド２１は、平面視において、略楕円の形状を有する。フィルム収容ガイド２１には、略楕円形状の開口２１ａが形成されており、フィルム収容ガイド２１の内壁には、２つの孔２１ｂが形成されている。枠２２は、平面視において、略楕円の形状を有する。枠２２には、略楕円形状の開口２２ａが形成されており、上面部２２ｂの裏側には、下側に延びる２つの板部２２ｃが形成されている。
【００２６】
組み立て時には、まず、ベース１１の上面１１ａに、フィルム収容ガイド２１が設置される。続いて、枠２２の板部２２ｃがフィルム収容ガイド２１の孔２１ｂに嵌め込まれることにより、枠２２がフィルム収容ガイド２１に装着される。こうして、図２（ａ）に示すフィルムユニット３０が完成する。フィルムユニット３０は、フィルムユニット３０にセットされたフィルムＦを密封（シール）する機能を有する。
【００２７】
図２（ｂ）、（ｃ）は、それぞれ、フィルムＦの外観を示す模式図と、フィルムユニット３０にセットされたフィルムＦを示す模式図である。
【００２８】
フィルムＦは、樹脂製の筒状フィルムであり、筒形状の外周方向に予め折り畳まれている。フィルムユニット３０にフィルムＦがセットされる場合、枠２２がフィルム収容ガイド２１から取り外され、フィルムＦが、フィルム収容ガイド２１に上方から嵌め込まれる。その後、枠２２がフィルム収容ガイド２１に装着され、フィルムＦが枠２２の下側に位置付けられる。そして、フィルムＦの端部が上方向に引き出され、枠２２の開口２２ａとフィルム収容ガイド２１の開口２１ａに対して、下方向に通される。その後、開口２１ａ、２２ａに通されたフィルムＦの端部が、さらに、ベース１１の開口１１ｂに挿入され、機構部１２に取り付けられる。こうして、図２（ｃ）に示すように、フィルムユニット３０にフィルムＦがセットされる。
【００２９】
なお、実使用時には、図１１に示すように便座装置１が組み立てられた後に、フィルムＦのセットが行われる。すなわち、便座装置１からカバー５６と便座５５が外された状態（図９参照）で、開口５１ｄから露出するフィルムユニット３０に対して、上記のように、フィルムＦがセットされる。
【００３０】
図３（ａ）は、フレーム４１の構成を示す斜視図であり、図３（ｂ）は、フレーム４１の構成を示す平面図であり、図３（ｃ）、（ｄ）は、支持部４２およびスイッチ４３の構成を示す斜視図であり、図３（ｅ）は、脚部４４の構成を示す斜視図であり、図３（ｆ）は、化粧板４５の構成を示す斜視図である。
【００３１】
図３（ａ）を参照して、フレーム４１は、樹脂性の材料によって形成されている。フレーム４１は、背面部４１ａと、２つの側面部４１ｂ、を備える。２つの側面部４１ｂは、背面部４１ａを挟むようにして、背面部４１ａと一体的に形成されている。背面部４１ａと２つの側面部４１ｂの接続部分は、ヒンジとなっており、背面部４１ａと、２つの側面部４１ｂが直線上に並ぶように２つの側面部４１ｂを広げることができる。背面部４１ａのＹ軸負側の面には、略方形状の２つの凹部４１ｃと、Ｘ軸方向に延びる溝４１ｄが形成されている。２つの側面部４１ｂには、それぞれ、２つの孔４１ｅが形成されている。Ｘ軸正側の側面部４１ｂには、Ｘ軸負側の面にＹ軸方向に延びる溝４１ｆと、凹部４１ｇが形成されている。Ｘ軸負側の側面部４１ｂにも、Ｘ軸正側の面に同様にＹ軸方向に延びる溝と、凹部が形成されている（図示せず）。凹部４１ｇは、１つの角が欠けた長方形の形状を有する。凹部４１ｇは、長辺がＺ軸方向から前側にやや傾くように形成されている。凹部４１ｇの奥には、ネジ孔が形成されている。Ｘ軸負側の側面部４１ｂには、脚装着部４１ｈが形成されている。また、Ｘ軸正側の側面部４１ｂにも同様の脚装着部が形成されている（図示せず）。
【００３２】
図３（ｂ）を参照して、脚装着部４１ｈには、脚部４４の形状に沿った２つの案内溝４１ｉが形成されている。案内溝４１ｉの脚装着部４１ｈ中央側の段差の深さ（Ｘ軸方向の深さ）は、後述する脚４４ａの肉薄部４４ｄ（図４（ｃ）参照）の厚みと略同じである。また、案内溝４１ｉの脚装着部４１ｈ端縁側の段差の深さ（Ｘ軸方向の深さ）は、後述する脚４４ａの肉厚部４４ｃ（図４（ｃ）参照）の厚みよりもやや大きい。案内溝４１ｉのＺ軸方向の長さは、後述する脚４４ａのＺ軸方向の長さよりも大きい。案内溝４１ｉの底と２つの内側面とを繋ぐ角部（Ｙ軸正側、負側の端部）は、Ｚ軸方向に見て円弧形状となっている。また、案内溝４１ｉのＺ軸正側の端部は、Ｘ軸方向に見て円弧形状となっている。案内溝４１ｉには、脚部４４のＺ軸方向の高さ位置を決める窪み４１ｊがＺ軸方向に所定の間隔で並ぶように形成されている。窪み４１ｊは、１つの案内溝４１ｉにつき、９つ形成されている。また、脚装着部４１ｈには、２つの案内溝４１ｉの隣に、それぞれ、４つのネジ穴４１ｋが形成されている。
【００３３】
図３（ｃ）、（ｄ）を参照して、支持部４２は、底板４２ａと、前面部４２ｂと、２つの梁部４２ｃとを備える。底板４２ａのＸ軸方向の幅は、フレーム４１の２つの側面部４１ｂの間の幅よりも僅かに小さい。底板４２ａには、上下方向に貫通する開口４２ｄが形成されている。前面部４２ｂは、Ｚ軸方向に見て円弧形状となっている。前面部４２ｂの上端は、下端よりもややＹ軸負側に位置付けられている。すなわち、前面部４２ｂは、Ｚ軸正方向から前側に所定の角度で傾いている。前面部４２ｂのＺ軸方向の高さは、フレーム４１の側面部４１ｂのＺ軸方向の高さよりも低い。前面部４２ｂの内側面の中央には、凹部４２ｅが形成されており、凹部４２ｅには、Ｙ軸方向に貫通する開口４２ｆが形成されている。
【００３４】
スイッチ４３は、フィルムユニット３０の動作させるための入力部である。スイッチ４３は、操作面を押し込むことで操作が検出されるプッシュ型スイッチからなっている。スイッチ４３の操作部のＸ軸方向およびＹ軸方向の幅は、開口４２ｆよりも小さい。スイッチ４３は、先端の操作部が開口４２ｆに通され、スイッチ４３の後部に接続された回路基板（図示せず）が凹部４２ｅに嵌め込まれる。このとき、スイッチ４３の操作部の表面（操作面）は、前面部４２ｂの表面よりも僅かにＹ軸正側に位置付けられている。また、前面部４２ｂのＸ軸正側、負側の側面には、それぞれ、フレーム４１の凹部４１ｇと係合する段部４２ｇが形成されている。段部４２ｇには、それぞれ、隅にネジ孔が形成されている。
【００３５】
図３（ｅ）を参照して、脚部４４は、４本の脚４４ａと、Ｘ軸負側の２本の脚４４ａ、および、Ｘ軸正側の２本の脚４４ａを、それぞれ、連結する２つの脚連結板４４ｂを備える。脚４４ａは、樹脂性の材料によって形成されている。また、脚連結板４４ｂは、金属材料（たとえば、アルミ）によって形成されている。
【００３６】
図４（ａ）は、Ｘ軸負側の２つの脚４４ａと脚連結板４４ｂをＸ軸負側から見た正面図、図４（ｂ）は、Ｘ軸負側の２つの脚４４ａと脚連結板４４ｂをＸ軸正側から見た裏面図である。図４（ｃ）は、Ｘ軸負側の２つの脚４４ａと脚連結板４４ｂをＹ軸負側から見た側面図である。なお、図４（ａ）〜（ｃ）では、Ｘ軸負側の２つの脚４４ａが示されているが、Ｘ軸正側の２つの脚４４ａについても同様に構成されているため、説明は省略する。
【００３７】
図４（ａ）、（ｂ）に示すように、脚４４ａは、案内溝４１ｉ（図３（ｂ）参照）の形状に沿って、Ｚ軸正側の端部が、Ｘ軸方向に見て円弧形状となっている。また、図４（ｃ）に示すように、脚４４ａは、下部が肉厚部４４ｃ、上部が肉薄部４４ｄとなっている。肉厚部４４ｃのＸ軸方向の厚みは、肉薄部４４ｄのＸ軸方向の厚みよりも厚い。肉厚部４４ｃをＸ−Ｙ平面で切断した断面は、全ての角が円弧状に面取りされた長方形となっている。また、肉薄部４４ｄをＸ−Ｙ平面で切断した断面は、Ｘ軸正側の２つの角が肉厚部４４ｃと同様に円弧状に面取りされた長方形となっている。肉厚部４４ｃと肉薄部４４ｄのＸ軸負側の２つの角の形状が、案内溝４１ｉ（図３（ｂ）参照）のＸ軸正側の角部の形状に沿っている。
【００３８】
また、図４（ｂ）に示すように、脚４４ａには、それぞれ、Ｚ軸方向に所定の間隔で並ぶ２つのネジ穴４４ｅが形成されている。また、脚４４ａの裏面には、Ｚ軸方向に所定の間隔で並ぶ２つの凸部４４ｆが一体形成されている。凸部４４ｆは、Ｘ軸方向に見て略円形である。また、図４（ｃ）に示すように、凸部４４ｆは、角が円弧状に面取りされ、先端部がやや丸みを帯びた形状を有している。また、凸部４４ｆの根元部分は、円弧状の曲面によって脚４４ａの表面へと繋がっている。２つの凸部４４ｆの間には、ネジ穴４４ｅが１つ位置付けられており、ネジ穴４４ｅの間隔と凸部４４ｆの間隔は、略等しい。凸部４４ｆの間隔は、窪み４１ｊ（図３（ｂ）参照）の略２倍である。
【００３９】
脚連結板４４ｂは、薄板状の橋架部材である。図４（ｃ）に示すように、脚連結板４４ｂは、Ｙ−Ｚ平面に平行な平面部４４ｇと、Ｘ軸負側に傾くように折り曲げられた折り曲げ部４４ｈから構成されている。折り曲げ部４４ｈのＸ軸方向の高さは、肉厚部４４ｃの表面から肉薄部４４ｄの表面までの高さＬ１（肉厚部４４ｃと肉薄部４４ｄの段差）よりも短く、折り曲げ部４４ｈの先端部は、肉厚部４４ｃのＸ軸負側の表面よりもＸ軸正側に位置付けられている。
【００４０】
平面部４４ｇの両端には、それぞれ、２つの孔が形成され、これらの孔を介して、脚４４ａのネジ穴４４ｅにネジ４４ｉが螺着されている。図４（ｃ）に示すように、ネジ４４ｉの頭部のＸ軸方向の高さは、肉厚部４４ｃの表面から肉薄部４４ｄの表面までの高さＬ１よりも短く、ネジ４４ｉのＸ軸負側の表面は、肉厚部４４ｃのＸ軸負側の表面よりもＸ軸正側に位置付けられている。平面部４４ｇには、さらにネジ孔４４ｊが形成されている。また、平面部４４ｇには、ネジ孔４４ｊの近傍に開口４４ｋが形成されている。
【００４１】
図３（ｆ）を参照して、化粧板４５は、略長方形の薄板の形状を有する。化粧板４５には、複数のネジ孔が形成されている。
【００４２】
組み立て時には、まず、２つの側面部４１ｂをやや外側に広げた状態で、底板４２ａのＹ軸正側の端部がフレーム４１の溝４１ｄに嵌め込まれ、同時に、梁部４２ｃのＹ軸負側の端部がフレーム４１の凹部４１ｃに嵌め込まれる。この状態で、Ｘ軸正側の側面部４１ｂがＸ軸負側に閉じられる。これにより、Ｘ軸正側の側面部４１ｂの溝４１ｆに底板４２ａのＸ軸正側の端部が嵌り、また、Ｘ軸正側の側面部４１ｂの凹部４１ｇに前面部４２ｂのＸ軸正側の段部４２ｇに嵌まる。同様にして、Ｘ軸負側の側面部４１ｂの溝に底板４２ａのＸ軸負側の端部が嵌め込まれ、Ｘ軸負側の側面部４１ｂの凹部に前面部４２ｂのＸ軸負側の段部４２ｇが嵌め込まれる。この状態で、段部４２ｇに形成されたネジ孔を介して脚装着部４１ｈに形成されたネジ穴にネジが螺着される。これにより、支持部４２がフレーム４１に装着される。
【００４３】
次に、脚４４ａの裏面に形成された凸部４４ｆがフレーム４１の脚装着部４１ｈに設けられた窪み４１ｉに嵌め込まれ、脚部４４のＺ軸方向の高さ位置が決められる。
【００４４】
図５（ａ）は、脚部４４の高さ調整時の脚装着部４１ｈと脚部４４をＸ軸負側から見た平面図である。図５（ｂ）は、案内溝４１ｉの窪み４１ｊと、脚４４ａの凸部４４ｆのＸ−Ｚ平面に平行な断面を示す模式図である。図５（ｃ）は、化粧板４５が装着された状態の支持体４０をＸ軸負側から見た平面図である。なお、図５（ａ）〜（ｃ）では、Ｘ軸負側の脚装着部４１ｈと脚４４ａが示されているが、Ｘ軸正側の脚装着部４１ｈと脚４４ａについても同様に構成されているため、説明は省略する。
【００４５】
図５（ａ）を参照して、脚部４４のＺ軸方向の高さを調整する場合、まず、脚装着部４１ｈの案内溝４１ｉに２つの脚４４ａが嵌め込まれる。この状態で、２つの脚４４ａを案内溝４１ｉに沿って、Ｚ軸方向に移動させる。こうして、所望のＺ軸方向の高さに近い２つの窪み４１ｊに、脚４４ａの裏面に形成された２つの凸部４４ｆが嵌め込まれる。
【００４６】
図６（ａ）、（ｂ）は、フレーム４１の側面部４１ｂの案内溝４１ｉ周辺の一部拡大図である。
【００４７】
図６（ａ）を参照して、フレーム４１の脚装着部４１ｈのネジ穴４１ｋのＹ軸負側には、６つのスケールＳが形成されている。スケールＳは、脚装着部４１ｈの表面に１〜６の数字の刻印を一体成形することによって形成されている。スケールＳの数値は、上から順に１〜６が昇順に並んでおり、数値が低ければ低いほど、脚４４ａの高さが低く、数値が高ければ高いほど、脚４４ａの高さが高いことを示している。
【００４８】
図６（ｂ）に示すように、脚４４ａが案内溝４１ｉに嵌め込まれ、脚４４ａの裏面に形成された２つの凸部４４ｆ（図４（ｃ）参照）が、所定の窪み４１ｊに嵌め込まれると、脚連結板４４ｂの開口４４ｋが所定のスケールＳの位置に整合される。図６（ｂ）では、上から４番目の窪み４１ｊと６番目の窪み４１ｊに、２つの凸部４４ｆ（図４（ｃ）参照）が嵌め込まれている。このとき、数値が「４」のスケールＳが開口４４ｋを介して、外部から視認可能となっている。これにより、作業者は、脚４４ａの高さが４番目のレベルであることを把握することができる。
【００４９】
図５（ｂ）に示すように、窪み４１ｊに、２つの凸部４４ｆが嵌め込まれると、２つの凸部４４ｆの間に、嵌合しない窪み４１ｊが１つ位置付けられる。２つの凸部４４ｆと２つの窪み４１ｊが嵌合されると、脚４４ａの移動が抑制される。これにより、脚４４ａのＺ軸方向の高さ位置が仮決めされる。脚４４ａは、脚連結板４４ｂにより、連結されているため、一方の脚４４ａのＺ軸方向の高さ位置が決定されると、他方の脚４４ａについても、同じ高さ位置にある窪み４１ｊの位置に凸部４４ｆが位置付けられ、脚４４ａのＺ軸方向の高さ位置が仮決めされる。この状態で、脚連結板４４ｂのネジ孔４４ｊ（図４（ａ）参照）が、脚装着部４１ｈの４つのネジ穴４１ｋのうちのひとつのネジ穴４１ｋ（図３（ｂ）参照）に整合する。たとえば、図５（ａ）では、脚連結板４４ｂのネジ孔４４ｊ（図４（ａ）参照）が、上から３つ目のネジ穴４１ｋ（図３（ｂ）参照）に整合する。そして、ネジ孔４４ｊ（図４（ａ）参照）を介して、ネジ穴４１ｋにネジ４４ｌが螺着される。これにより、２つの脚４４ａが、脚装着部４１ｈに固定される。このとき、２つの脚４４ａの肉厚部４４ｃの表面は、側面部４１ｂのＸ軸負側の端縁よりもＸ軸正側に位置付けられている。
【００５０】
そして、脚部４４がフレーム４１の脚装着部４１ｈに装着された状態で化粧板４５が脚装着部４１ｈに嵌め込まれ、化粧板４５が側面部４１ｂにネジにより固定される。こうして、図５（ｃ）に示す支持体４０が完成する。
【００５１】
図７は、支持体４０の構成を示す斜視図である。
【００５２】
図７に示すように、フレーム４１と、円弧状に湾曲した前面部４２ｂによって底板４２ａが支えられ、さらに、フレーム４１が脚４４ａによって支えられることにより、開口４２ｄの下側に大きなスペースが生じる。これにより、このスペースに、後述のようにして密封されたフィルムＦを回収するための箱等を設置することができる。
【００５３】
組み立て時には、フィルムユニット３０が凹部４０ａに嵌め込まれるように、フィルムユニット３０が支持体４０に設置される。フィルムユニット３０は、ベース１１の左右の側縁部が、それぞれ、２つの梁部４２ｃに載置されネジ留めされる。そして、スイッチ４３の回路基板と、フィルムユニット３０の回路基板とが電気的に接続される。
【００５４】
フレーム４１と前面部４２ｂは、２つの梁部４２ｃより接続されているため、フィルムユニット３０の荷重による負荷が分散される。これにより、支持体４０の耐久性を高めることができる。
【００５５】
図８（ａ）は、座面枠５１の構成を示す斜視図であり、図８（ｂ）、（ｃ）は、背もたれ５２の構成を示す斜視図であり、図８（ｄ）、（ｅ）は、それぞれ、ひじ掛け５３、５４の構成を示す斜視図である。
【００５６】
図８（ａ）を参照して、座面枠５１は、水平面に平行な水平部５１ａと、Ｘ―Ｙ平面に略垂直な背面部５１ｂを有している。背面部５１ｂの上端は、角が面取りされており、丸みを帯びた形状を有している。また、背面部５１ｂの上端の裏面は、背面部５１ｂの背面から上部がＹ軸負側に傾くように傾斜している。こうして、背面部５１ｂの上部は、先細りの形状となっている。
【００５７】
水平部５１ａには、水平部５１ａの上面よりも一段低い凹部５１ｃが形成されており、凹部５１ｃには、水平部５１ａを上下方向に貫通する略楕円形状の開口５１ｄが形成されている。また、水平部５１ａの上面には、円形の凹部５１ｅが２つ形成されている。また、凹部５１ｃの上面には、略円形に窪んだ係合部５１ｆが２つ形成されている。背面部５１ｂには、背面部５１ｂをＹ軸方向に貫通する開口５１ｇが形成されている。
【００５８】
図８（ｂ）を参照して、背もたれ５２は、クッション性のある材質で形成されている。背もたれ５２は、座面枠５１の開口５１ｇよりも大きい。背もたれ５２には、鍔部５２ａが形成されている。鍔部５２ａの下面には、図８（ｃ）に示すように、背面部５１ｂの上端が嵌り込む凹部５２ｂが形成されている。背面部５１ｂの上端を凹部５２ｂに嵌め込むようにして、背もたれ５２を背面部５１ｂに掛ける。背もたれ５２の下端は、Ｘ軸方向に見て円弧形状となっており、水平部５１ａと背面部５１ｂとの境界付近は、背もたれ５２の下端の形状と対応するように、Ｘ軸方向に見て円弧形状となっている。
【００５９】
図８（ｄ）を参照して、ひじ掛け５３は、平板５３ａと２本の軸５３ｂを有している。軸５３ｂは、平板５３ａの下面に設置されており、平板５３ａの下面から下方向に突出している。平板５３ａのＸ軸正側とＸ軸負側の面の上部には、それぞれ、Ｙ軸方向に見て円弧形状の凹部５３ｃが形成されている。図８（ｅ）を参照して、ひじ掛け５４は、ひじ掛け５３と同様の構成となっており、平板５４ａと、２本の軸５４ｂと、凹部５４ｃを有している。
【００６０】
組み立て時には、図７に示すようにフィルムユニット３０が支持体４０に嵌め込まれた後、座面枠５１が支持体４０の上部に設置される。続いて、座面枠５１の背面部５１ｂの上端に鍔部５２ａが掛けられることにより、背もたれ５２が座面枠５１に設置される。そして、側面部４１ｂの孔４１ｅに軸５３ｂが通されることにより、ひじ掛け５３が支持体４０に設置され、側面部４１ｂの孔４１ｅに軸５４ｂが通されることにより、ひじ掛け５４が支持体４０に設置される。こうして、図９に示す構成体６０が完成する。
【００６１】
図９は、構成体６０と便座５５の構成を示す斜視図である。なお、図９では、便宜上、フィルムユニット３０の図示が省略されている。
【００６２】
図９を参照して、この状態で背もたれ５２は、ひじ掛け５３、５４に挟まれており、Ｘ軸方向の移動が抑制されている。また、背もたれ５２の凹部５２ｂは、背面部５１ｂの上端に嵌り込んでいるため、前側に倒れ込むことが抑制されている。このように、背もたれ５２は、Ｚ軸方向に容易に取り外し可能であり、且つ、Ｘ軸方向、およびＹ軸方向に移動しないように便座装置１に装着されている。
【００６３】
便座５５は、水平面に平行な水平部５５ａを有し、水平部５５ａのＹ軸正側の端部に、下方向に延びる鍔部５５ｂが形成されている。水平部５５ａには、略中央に便座５５を上下方向に貫通する開口５５ｃが形成されている。開口５５ｃは、Ｙ軸正側が狭く、Ｙ軸負側に向かうに従って広がった略涙型の形状を有する。開口５５ｃのＹ軸正側の端部には、Ｙ軸負側に後退した拡張部５５ｄが延設されている。便座５５のＺ軸負側の面の、Ｙ軸負側の隅には、それぞれ、座面枠５１の係合部５１ｆと係合する凸部が形成されている（図示せず）。
【００６４】
組み立て時には、座面枠５１の凹部５１ｃに対して便座５５が嵌め込まれるように、便座５５が座面枠５１に設置される。これにより、座面枠５１の係合部５１ｆに便座５５の凸部（図示せず）が係合し、便座５５のＹ軸方向へのずれが抑制される。こうして、図１０に示す構成体７０が完成する。
【００６５】
図１０は、構成体７０とカバー５６と座面インサート板５７の構成を示す斜視図である。なお、図１０では、便宜上、フィルムユニット３０の図示が省略されている。
【００６６】
図１０を参照して、カバー５６は、クッション性のある材質で形成されている。カバー５６は、水平面に平行な水平部５６ａを有し、水平部５６ａのＹ軸負側の端部に、下方向に延びる鍔部５６ｂが形成されている。また、カバー５６の裏面には、座面枠５１の２つの凹部５１ｅに対応する位置に、それぞれ、円形の突起（図示せず）が形成されている。
【００６７】
組み立て時には、カバー５６の裏面に形成された突起５６ｃ（図示せず）を座面枠５１の凹部５１ｅに嵌め込むようにして、座面枠５１の水平部５１ａと便座５５にカバー５６が載置される。カバー５６裏面の突起５６ｃ（図示せず）が座面枠５１の凹部５１ｅに嵌り込むことにより、カバー５６のＹ軸方向のずれが抑制される。こうして、図１１に示す便座装置１が完成し、便座装置１の組み立てが終了となる。
【００６８】
図１１は、組み立てが終了した便座装置１の構成を示す斜視図である。
【００６９】
図１１に示す便座装置１では、便座５５の上にカバー５６が載置されているため、使用者がカバー５６の上面に着座して、図１１に示す便座装置１を椅子として使用することも可能である。
【００７０】
使用者が排泄を行う場合、使用者または作業者によりカバー５６が取り外され、図１１に示す便座装置１が、図１０に示す構成体７０とされる。この状態で、使用者が便座５５の上に着座し排泄を行う。排泄の後、スイッチ４３が押されると、フィルムユニット３０が作動し、後述のように、排泄物を収容したフィルムＦに対してシーリングが行われる。
【００７１】
次に、図１２〜図１４（ｂ）を参照して、フィルムユニット３０のフィルム送り機構１００とシール機構２００の構成について説明する。
【００７２】
図１２は、フィルム送り機構１００とシール機構２００の構成を示す斜視図である。
【００７３】
図１２を参照して、フィルム送り機構１００は、モータ１０１と、シャフト１０２と、４つのローラ１０３と、多数のギアを含む機構部を備えている。また、シール機構２００は、モータ２０１と、シャフト２０２と、２つのシャフト２１１と、２つのバネ２１２と、加熱機構２２０と、圧着機構２３０と、引き剥がし機構２４０と、多数のギアを含む機構部を備えている。
【００７４】
モータ１０１の駆動力は、多数のギアを介して、Ｘ軸負側の２つのローラ１０３に伝えられる。これら２つのローラ１０３は、互いに接する部分が共に下方向に向かうように回転される。すなわち、２つのローラ１０３は、回転方向が互いに反対となるように駆動される。また、モータ１０１の駆動力は、シャフト１０２と多数のギアを介して、Ｘ軸正側の２つのローラ１０３に伝えられる。したがって、モータ１０１が駆動されると、Ｘ軸正側の２つのローラ１０３も駆動される。なお、Ｘ軸正側の２つのローラ１０３の構成は、Ｘ軸負側の２つのローラ１０３の構成と同様である。
【００７５】
互いに接する２つのローラ１０３の間には、フィルムＦの端縁が挟み込まれる。したがって、モータ１０１の駆動力によってローラ１０３が回転されると、Ｘ軸正側の２つのローラ１０３とＸ軸負側の２つのローラ１０３により、フィルムＦが下方向（Ｚ軸負方向）に送られる。
【００７６】
モータ２０１の駆動力は、シャフト２０２と多数のギアを介して、圧着機構２３０のラック２３１ａに伝えられる。ラック２３１ａは、圧着機構２３０のベース２３１に設けられ、ベース２３１は、２つのシャフト２１１によってＹ軸方向に移動可能に支持されている。したがって、モータ２０１が駆動されると、ベース２３１がＹ軸方向に移動される。ベース２３１には、圧着部２３２（図１３（ａ）参照）が設けられている。圧着部２３２は、加熱機構２２０のヒータ２２１（図１３（ａ）参照）と対向し、その表面にフィルムＦを切断するための突条部２３２ａ（図１３（ａ）参照）を備えている（図示せず）。圧着部２３２は、弾性を有し、熱耐性の高い材料から構成されている。突条部２３２ａは、圧着部２３２よりも硬く、Ｘ軸方向に延びるように設けられている。
【００７７】
加熱機構２２０は、ヒータ２２１（図１３（ａ）参照）を備える。ヒータ２２１（図１３（ａ）参照）は、結晶化ガラス等の基材の上に、平面視において蛇行形状の発熱部が設けられた構成となっている。ヒータ２２１（図１３（ａ）参照）の発熱部は、電流を印加することにより発熱し、フィルムＦの下底を形成するための熱圧着と、フィルムＦの切断と、フィルムＦの上部を密封するための熱圧着に用いられる。ヒータ２２１（図１３（ａ）参照）のＹ軸負側の面には、後述するフィルムＦの溶着と切断時にフィルムＦが剥がれ易くなるよう、フッ素加工が施されたテープが貼付される。
【００７８】
引き剥がし機構２４０は、ベース２４１と、ベース２４１のＹ軸負側の面に設置されたゴム２４２（図１３（ａ）参照）とを備えている。ベース２４１は、シャフト２１１によってＹ軸方向に移動可能に支持されている。ベース２４１は、バネ２１２によってＹ軸負方向に付勢され、ストッパー（図示せず）によってＹ軸負側の面が規制されている。したがって、ベース２４１は、バネ２１２の付勢に抗して、所定の範囲だけ、Ｙ軸方向に移動可能である。図１２には、Ｘ軸負側のバネ２１２付近の構成のみが示されているが、Ｘ軸正側のバネ２１２付近の構成もＸ軸負側のバネ２１２付近の構成と同様である。
【００７９】
引き剥がし機構２４０のベース２４１には、Ｙ軸方向に貫通する開口が形成されている。加熱機構２２０のヒータ２２１（図１３（ａ）参照）は、ベース２４１の開口を介して、Ｙ軸負側が開放された状態となっている。これにより、圧着機構２３０がＹ軸正方向に移動されたとき、圧着機構２３０の圧着部２３２（図１３（ａ）参照）と加熱機構２２０のヒータ２２１（図１３（ａ）参照）が当接するようになる。
【００８０】
引き剥がし機構２４０のベース２４１には、ヒータ２２１に対して上側および下側の位置に、それぞれ、Ｙ軸負方向に突出するＵ字状の羽根部２４１ａが形成されている。羽根部２４１ａは、圧着機構２３０のベース２３１がＹ軸負方向に送られることにより、２組のローラ１０３により送られたフィルムＦを束ねてＸ軸方向の広がりを抑制するためのものである。
【００８１】
図１３（ａ）〜図１４（ｂ）は、排泄処理時におけるフィルムユニット３０の動作を説明する図である。図１３（ａ）〜図１４（ｂ）は、フィルムユニット３０をＹ−Ｚ平面に平行な面で切断した断面図である。破線は、Ｘ軸正側の２つのローラ１０３に挟まれた状態のフィルムＦを示している。
【００８２】
図１３（ａ）に示すように、シール動作前の状態では、フィルムＦは、２組のローラ１０３に挟まれており、フィルムＦの底は、ヒータ２２１周辺の高さの位置に位置付けられている。なお、フィルムＦの底は、初期セットアップ時または前回のシール動作時において、密着されている。この状態で、排泄物等がフィルムＦに収容される。
【００８３】
排泄物等がフィルムＦに収容され、その後、シール動作が開始されると、モータ１０１（図１２参照）が駆動され、２組のローラ１０３によりフィルムＦが下方向（Ｚ軸負方向）に送られる。これにより、図１３（ｂ）に示す状態となる。なお、シール動作は、たとえば、排泄後に作業者または使用者がスイッチ４３を介して排泄終了の指示を入力することにより開始される。
【００８４】
ローラ１０３によりフィルムＦが下方向に送られた後、モータ２０１（図１２参照）が駆動され、圧着機構２３０がＹ軸正方向に送られる。これにより、フィルムＦは、引き剥がし機構２４０の羽根部２４１ａによりＸ軸方向の広がりが抑制されながら、Ｙ軸正方向に寄せられる。さらに、圧着部２３２がＹ軸正方向に送られると、圧着部２３２はフィルムＦを介してゴム２４２に当接し、シャフト２１１に配されたバネ２１２の付勢に抗して、引き剥がし機構２４０をＹ軸正方向に押し出す。そして、さらに圧着部２３２がＹ軸正方向に送られると、図１４（ａ）に示すように、圧着部２３２とヒータ２２１が、フィルムＦを介して密着する。
【００８５】
この状態で、ヒータ２２１が駆動され、フィルムＦが溶融される。このとき、ヒータ２２１の上側領域の熱により、次に排泄物等を収容するためのフィルムＦの下底が形成され、ヒータ２２１の下側領域の熱により、排泄物等が収容されたフィルムＦの上部が密封される。さらに、ヒータ２２１の中央部分、すなわち、圧着部２３２の突条部２３２ａによってフィルムＦが押し付けられる部分の熱により、フィルムＦが切断される。
【００８６】
フィルムＦの密封と切断が完了すると、圧着機構２３０がＹ軸負方向に戻される。これにより、圧着部２３２がヒータ２２１とゴム２４２から離れ、引き剥がし機構２４０が、シャフト２１１に配されたバネ２１２により所定幅だけＹ軸負方向に送られる。このとき、圧着部２３２とヒータ２２１により密着されたフィルムＦは、引き剥がし機構２４０により、ヒータ２２１の位置から所定幅だけＹ軸負側に寄せられる。これにより、ヒータ２２１にフィルムＦが貼り付いているような場合でも、フィルムＦがヒータ２２１から引き剥がされる。また、このとき、ローラ１０３によりフィルムＦが上方向に僅かに送られるため、さらに確実にフィルムＦがヒータ２２１から引き剥がされる。こうして、図１４（ｂ）に示すように、密封されたフィルムＦは支持体４０の開口４２ｄ（図７参照）を通って落下する。
【００８７】
排泄処理時の動作が完了すると、フィルムユニット３０は、図１３（ａ）に示す状態に戻る。なお、密封されたフィルムＦが落下する位置に、密封されたフィルムＦを回収するための箱等を設置することにより、作業者は容易に密封されたフィルムＦを回収することができる。
【００８８】
＜実施の形態の効果＞
本実施の形態によれば、以下の効果が奏され得る。
【００８９】
図５（ａ）に示すように、フレーム４１の側面部４１ｂには、案内溝４１ｉが形成されているため、案内溝４１ｉをガイドとして脚４４ａを上下に移動させることができる。また、図５（ｂ）に示すように、脚４４ａを上下させると、凸部４４ｆが窪み４１ｊに対向する位置において、凸部４４ｆが窪み４１ｊに嵌り込む。脚４４ａの高さ位置を変更する場合は、凸部４４ｆと窪み４１ｊの係合を解除して、さらに、脚４４ａを上下させる。そして、凸部４４ｆが窪み４１ｊに嵌り込む所望の高さ位置において、脚連結板４４ｂがネジ留めされ、脚４４ａがフレーム４１に固着される。このように、本実施の形態に係る便座装置１によれば、案内溝４１ｉをガイドとして脚４４ａを上下させながら、所望の高さ位置に脚４４ａを簡易に位置決めすることができる。
【００９０】
また、図４（ｃ）に示すように凸部４４ｆの先端部は、角が円弧状に面取りされた丸みを帯びた形状を有し、且つ、凸部４４ｆの根本も曲面形状となっているため、脚４４ａをやや持ち上げながら上下方向にスライドさせると、凸部４４ｆが窪み４１ｊから容易に外れる。よって、高さ調節時に、凸部４４ｆを窪み４１ｊから外すために脚部４４を大きく持ち上げる必要がない。また、凸部４４ｆの先端部が上記形状となっているため、凸部４４ｆが窪み４１ｊからややずれていても、脚４４ａに案内溝４１ｉに向かう方向の力がかかると、凸部４４ｆが窪み４１ｊに滑り込む。したがって、脚４４ａの高さ調節を簡易に行うことができる。
【００９１】
また、図５（ｂ）に示すように、２つの凸部４４ｆが窪み４１ｊに嵌め込まれるため、脚４４ａを支持体４０に固着した際に、凸部４４ｆに掛る応力を複数の凸部４４ｆに分散することができる。また、一つの凸部４４ｆに欠けや削れが生じたような場合にも、他の凸部４４ｆによって脚４４ａの高さ位置を調節することができる。
【００９２】
また、図５（ｂ）に示すように、隣り合う２つの凸部４４ｆの間には、嵌合されていない窪み４１ｊが位置付けられるように、窪み４１ｊと凸部４４ｆが配置されている。したがって、凸部４４ｆの間隔を広げ易く、且つ、窪み４１ｊの間隔を縮め易い。このため、安定的に脚４４ａの位置決めを行いながら、脚４４ａの高さ位置を微細に調節することができる。
【００９３】
また、図５（ａ）に示すように、一対の脚４４ａは、脚連結板４４ｂにより連結されている。したがって、一対の脚４４ａを対応する案内溝４１ｉに同時に嵌め込むことができ、また、一対の脚４４ａを上下方向に同時に移動させることができる。よって、脚４４ａの高さ調節を効率的に行うことができる。
【００９４】
また、図５（ａ）に示すように、凸部４４ｆが窪み４１ｊに嵌め込まれた状態で脚連結板４４ｂのネジ孔４４ｊ（図４（ａ）参照）を介して、ネジ穴４１ｋにネジ４４ｌが螺着される。これにより、２つの脚４４ａが、脚装着部４１ｈに固着される。したがって、凸部４４ｆや窪み４１ｊの近辺に、脚４４ａを支持体４０に固着するための手段を設ける必要がない。よって、窪み４１ｊの間隔を小さくでき、脚４４ａの高さ調節を微細に行うことができる。
【００９５】
また、図４（ｃ）に示すように、脚４４ａの上部には、肉薄部４４ｄが設けられており、脚連結板４４ｂは、肉薄部４４ｄに装着されるため、脚連結板４４ｂおよびネジ４４ｉの厚みによる便座装置１の肥大化を抑えることができる。
【００９６】
また、図４（ｃ）に示すように、脚連結板４４ｂには、短手方向（Ｚ軸方向）の端縁が折り曲げられた折り曲げ部４４ｈが形成されている。このため、脚連結板４４ｂが長手方向（Ｙ軸方向）に撓みにくくなり、脚連結板４４ｂの曲げ強度を高めることができる。また、脚連結板４４ｂの折り曲げ部４４ｈのＸ軸方向の高さが肉厚部４４ｃと肉薄部４４ｄの段差Ｌ１よりも小さくなるように形成されているため、折り曲げ部４４ｈによって便座装置１が肥大化することを抑えることができる。
【００９７】
また、図６（ｂ）に示すように、フレーム４１の脚装着部４１ｈには、脚４４ａの高さ位置を示すスケールＳが形成されているため、高さ位置の調節時に、脚４４ａの高さ位置を容易に把握することができる。
【００９８】
また、図５（ｃ）に示すように、フレーム４１の側面部４１ｂの外側面には、化粧板４５が装着されるため、脚装着部４１ｈ、脚部４４を外部から覆うことができ、便座装置１の美観を向上させることができる。
【００９９】
図１５は、ベッドに横付けされた状態の便座装置の使用例を示す図である。
【０１００】
本実施の形態では、脚４４ａの高さを微細に調節できるため、図１５に示すように、便座装置１の上面をベッドＢの上面Ｂａの高さと略同じに設定することができる。この使用例では、Ｘ軸正側のひじ掛け５３が取り外される。これにより、ベッドＢの上面Ｂａから便座５５への移乗経路が確保され、使用者は、Ｘ軸負側のひじ掛け５４の上部を持って体を支えながら、この移乗経路に沿ってベッドから便座５５へと体を移すことができる。上記のように脚４４ａの高さが調節されていると、使用者は、ベッドから便座５５へと容易に臀部をずらすことができる。
【０１０１】
＜変更例＞
以上、本発明の実施の形態について説明したが、本発明は、上記実施の形態に何ら制限されるものではなく、本発明の構成例も他に種々の変更が可能である。
【０１０２】
たとえば、上記実施の形態では、脚部４４は、４つの脚４４ａにより構成されたが、脚４４ａの数は、これに限られない。たとえば、脚４４ａは、１つの側面部４１ｂに対して、１つであっても良いし、３つ以上であっても良い。なお、フレーム４１を安定して支持するためには、上記実施の形態のように、１つの側面部４１ｂに対して、少なくとも２つの脚４４ａが設けられた方が望ましい。また、脚４４ａの断面形状も上記実施の形態の形状に限られるものではなく、正方形や円形、楕円形等、種々の形態が採られ得る。
【０１０３】
また、上記実施の形態では、脚４４ａの裏面には、２つの凸部４４ｆが形成されたが、凸部４４ｆの数は、これに限られない。たとえば、凸部４４ｆは、１つであっても良いし、３つ以上であっても良い。なお、安定してフレーム４１を支持するためには、上記実施の形態のように、少なくとも２つの凸部４４ｆが設けられた方が望ましい。
【０１０４】
また、上記実施の形態では、図５（ｂ）に示すように、２つの凸部４４ｆの間には、嵌合しない１つの窪み４１ｊが位置付けられるように、２つの凸部４４ｆが形成されたが、２つの凸部４４ｆの間隔はこれに限られない。たとえば、２つの凸部４４ｆの間隔は、２つの窪み４１ｊの間隔の１倍または３倍以上の整数倍に設定されても良い。また、同様に窪み４１ｊの間隔も適宜変更され得る。
【０１０５】
また、上記実施の形態では、図４（ｃ）に示すように、凸部４４ｆは、先端の角が丸みを帯びた形状を有したが、凸部４４ｆの形状はこれに限られない。たとえば、図１６（ａ）に示すように、Ｙ−Ｚ平面に平行な断面が矩形状の凸部４４ｍが設けられても良い。この場合、図１６（ｂ）に示すように、案内溝４１ｉには、Ｙ−Ｚ平面平行な断面が矩形状の窪み４１ｌが形成される。こうすると、脚４４ａと、側面部４１ｂの接触面積を大きくすることができ、脚４４ａを支持体４０に固着した際に、凸部４４ｍに掛る応力をさらに分散することができる。この場合も、脚４４ａをスライドさせる際に凸部４４ｍと窪み４１ｌの嵌合およびその解除が容易となるように、凸部４４ｍと窪み４１ｌの角が円弧状に面取りされることが望ましい。この他、凸部４４ｆと窪み４１ｊの形状は、適宜変更され得る。
【０１０６】
また、上記実施の形態では、２つの脚４４ａが脚連結板４４ｂによって連結されたが、２つの脚４４ａは、板状以外の部材によって連結されても良い。たとえば、棒状の部材によって連結されても良い。しかしながら、便座装置１の肥大化を抑えるためには、板状の脚連結板４４ｂが用いられるのが望ましい。さらに、２つの脚４４ａの連結するための部材が２つ以上設けられていても良い。また、脚４４ａの固着は、脚連結板４４ｂを固着する方法に限られるものではなく、脚連結板４４ｂを省略して、各脚４４ａが個別にフレーム４１に固着されても良い。
【０１０７】
また、上記実施の形態では、脚連結板４４ｂに折り曲げ部４４ｈが設けられることによって、脚連結板４４ｂが補強されたが、その他の手段を用いて脚連結板４４ｂが補強されても良い。たとえば、脚連結板４４ｂの端部または表面にリブが形成されていても良い。この場合、折り曲げ部４４ｈと同様に、リブの先端が肉厚部４４ｃよりもＸ軸負側に位置付けられるように形成された方が、便座装置１の肥大化が抑制されるため、望ましい。
【０１０８】
また、上記実施の形態では、スケールＳは、脚４４ａの高さに相当する１〜６の数字の刻印が脚装着部４１ｈの表面に一体成型されたが、数字以外のアルファベット、記号等が用いられても良く、数字の昇順が逆であっても良い。また、スケールＳは、便座装置１の高さ寸法の数値（たとえば、４７．５）が用いられても良い。また、スケールＳは、脚装着部４１ｈに一体成形される他、印字されていても良いし、数字が印字されたシールが貼付されていても良い。
【０１０９】
また、上記実施の形態では、水平部５１ａと背面部５１ｂが座面枠５１に一体的に設けられたが、これらが別体であっても良く、たとえば、背面部５１ｂを構成する部材が、支持体４０に取り付けられても良く、支持体４０に一体的に設けられても良い。
【０１１０】
また、上記実施の形態では、便座５５が座面枠５１の水平部５１ａに装着されることにより座面部が構成されたが、座面部の構成形態はこれに限られない。たとえば、予め、座面枠５１に便座５５が一体的に設けられていても良い。
【０１１１】
また、上記実施の形態では、背面部５１ｂに背もたれ５２が着脱可能に装着されたが、背もたれ５２が省略されても良い。この場合、少なくとも背面部５１ｂの前面は、クッション性に富んだ材料で覆うことが望ましい。
【０１１２】
この他、本発明の実施の形態は、特許請求の範囲に示された技術的思想の範囲内において、適宜、種々の変更が可能である。
【符号の説明】
【０１１３】
１  …  便座装置（フィルム密封式便座装置）
３０  …  フィルムユニット
４０  …  支持体
４１ｉ  …  案内溝（溝部）
４１ｊ  …  窪み
４４  …  脚部
４４ａ  …  脚
４４ｂ  …  脚連結板（橋架部材）
４４ｃ  …  肉厚部
４４ｄ  …  肉薄部
４４ｆ  …  凸部
４５  …  化粧板
５１  …  座面枠
５１ａ  …  水平部（便座部）
５５  …  便座（便座部）
５５ｃ  …  開口
Ｆ  …  フィルム
Ｓ  …  スケール
【図１】
2015195884.tif 000003
【図２】
2015195884.tif 000004
【図３】
2015195884.tif 000005
【図４】
2015195884.tif 000006
【図５】
2015195884.tif 000007
【図６】
2015195884.tif 000008
【図７】
2015195884.tif 000009
【図８】
2015195884.tif 000010
【図９】
2015195884.tif 000011
【図１０】
2015195884.tif 000012
【図１１】
2015195884.tif 000013
【図１２】
2015195884.tif 000014
【図１３】
2015195884.tif 000015
【図１４】
2015195884.tif 000016
【図１５】
2015195884.tif 000017
【図１６】
2015195884.tif 000018